(57)【要約】【課題】  文字入力にあまり向かない機器が含まれていても、簡便にユーザが文字によるやり取りを行うことを可能とするシステム、通信方法、及び電子機器を提供することである。【解決手段】  実施形態によれば、システムは第１の電子機器と第２の電子機器有する。前記第１の電子機器は、画像を選択する選択手段と、文字を入力可能な入力手段と、前記選択手段で選択された画像に関連付けられる、複数の返信用の文字群の入力を受け付ける受付手段と、前記選択された画像及び前記複数の返信用の文字群を送信する送信手段と、を具備し、前記第２の電子機器は、前記画像及び複数の返信用の文字群を受信する受信手段と、前記画像及び複数の返信用の文字群をユーザに提示する提示手段と、前記複数の返信用の文字群のうちから、１以上の文字群の選択を受け付ける受付手段と、前記受付手段で選択された１以上の文字群を送信する送信手段と、を具備する。【選択図】図１０
2016167165.tif 000002
【特許請求の範囲】
【請求項１】
第１の電子機器と第２の電子機器を有するシステムであって、
前記第１の電子機器は、
画像を選択する選択手段と、
文字を入力可能な入力手段と、
前記選択手段で選択された画像に関連付けられる、複数の返信用の文字群の入力を受け付ける受付手段と、
前記選択された画像及び前記複数の返信用の文字群を送信する送信手段と、
を具備し、
前記第２の電子機器は、
前記画像及び複数の返信用の文字群を受信する受信手段と、
前記画像及び複数の返信用の文字群をユーザに提示する提示手段と、
前記複数の返信用の文字群のうちから、１以上の文字群の選択を受け付ける受付手段と、
前記受付手段で選択された１以上の文字群を送信する送信手段と、
を具備するシステム
【請求項２】
前記第１の電子機器は、
前記第２の電子機器が送信した１以上の文字群を受信する受信手段と、
前記受信した文字群をユーザに提示する提示手段と、
を具備する請求項１記載のシステム。
【請求項３】
前記第２の電子機器の送信手段は前記１以上の文字群と共に前記文字群に対応付けられた前記画像に関する情報を送信し、
前記第１の電子機器の受信手段は電子機器が送信した１以上の文字群と前記画像に関する情報とを受信し、
前記第１の電子機器の提示手段は前記画像と共に前記受信した文字群をユーザに提示する請求項２記載のシステム。
【請求項４】
前記第２の電子機器の提示手段は、前記画像及び前記複数の返信用の文字群とともに、前記第２の機器の入力機器を模した画像を提示する請求項１記載のシステム。
【請求項５】
前記第１の電子機器の受付手段は、前記複数の返信用の文字群とは異なる文字群の入力を受け付け、
前記第１の電子機器の送信手段は、前記返信用の文字群とは異なる文字群を送信し、
前記第２の電子機器の提示手段は、前記返信用の文字群とは異なる文字群と前記画像とともに提示する請求項１記載のシステム。
【請求項６】
前記第２の電子機器は入力手段を具備し、
前記第１の電子機器の入力手段は前記第２の電子機器の入力手段よりも文字の入力が容易である請求項１記載のシステム。
【請求項７】
第１の電子機器と第２の電子機器との間での通信方法であって、
前記第１の電子機器は、
画像を選択し、
文字を入力可能な入力手段で入力される複数の返信用文字群であって、前記選択された画像に関連付けられる前記複数の返信用文字群の入力を受け付け、
前記選択された画像及び前記複数の返信用の文字群を送信し、
前記第２の電子機器は、
前記画像及び複数の返信用の文字群を受信し、
前記画像及び複数の返信用の文字群をユーザに提示し、
前記複数の返信用文字群のうち、１以上の文字群の選択を受け付け、
前記選択された１以上の文字群を送信する、通信方法。
【請求項８】
画像を選択する選択手段と、
前記選択手段で選択された画像に関連付けられる、複数の返信用の文字群を入力する入力手段と、
前記前記選択された画像及び前記複数の返信用の文字群を送信する送信手段と、を具備する電子機器。
【発明の詳細な説明】
【技術分野】
【０００１】
本発明の実施形態は、システム、通信方法、及び電子機器に関する。
【背景技術】
【０００２】
現在、通信技術が発達し、様々な機器に通信機能が実装されている。また、これらの機器では例えばメール等のように文字によるやり取りが可能な機器が多く存在する。
【先行技術文献】
【特許文献】
【０００３】
【特許文献１】特開２００２−２３６６３６号公報
【発明の概要】
【発明が解決しようとする課題】
【０００４】
様々な機器が通信機能を実装する昨今において、様々な機器間で文字（character／letter）によるやり取り（対話）を行いたいというニーズが存在するが、機器によっては入力手段が文字入力にあまり向かない電子機器もある。
【０００５】
本発明の一形態の目的は、文字入力にあまり向かない機器が含まれていても、簡便にユーザが文字によるやり取りを行うことを可能とするシステム、通信方法、及び電子機器を提供することである。
【課題を解決するための手段】
【０００６】
実施形態によれば、システムは第１の電子機器と第２の電子機器有する。前記第１の電子機器は、画像を選択する選択手段と、文字を入力可能な入力手段と、前記選択手段で選択された画像に関連付けられる、複数の返信用の文字群の入力を受け付ける受付手段と、前記選択された画像及び前記複数の返信用の文字群を送信する送信手段と、を具備し、前記第２の電子機器は、前記画像及び複数の返信用の文字群を受信する受信手段と、前記画像及び複数の返信用の文字群をユーザに提示する提示手段と、前記複数の返信用の文字群のうちから、１以上の文字群の選択を受け付ける受付手段と、前記受付手段で選択された１以上の文字群を送信する送信手段と、を具備する。
【図面の簡単な説明】
【０００７】
【図１】実施形態におけるコミュニケーションシステムの構成の一例を示す概念図。
【図２】実施形態におけるリモコンの外観の一例を示す図。
【図３】実施形態におけるＳＴＢのシステム構成の一例を示すブロック図。
【図４】実施形態におけるスマホのシステム構成の一例を示すブロック図。
【図５】実施形態におけるスマホ及びＳＴＢのコミュニケーションアプリケーションに関連する機能構成の一例を示すブロック図。
【図６】実施形態におけるスマホでの画像選択画面の一例を示す概念図。
【図７】実施形態におけるスマホでのコメント編集画面の一例を示す概念図。
【図８】実施形態におけるスマホでのコメント編集画面の一例を示す概念図。
【図９】実施形態におけるＳＴＢが表示させるＴＶの表示部上でのコメント選択画面の一例を示す概念図。
【図１０】実施形態におけるスマホ、サーバ及びＳＴＢでの処理の流れの一例を示すシーケンス図。
【発明を実施するための形態】
【０００８】
以下、実施の形態について図面を参照して説明する。
【０００９】
図１は、本実施形態におけるコミュニケーションシステムの構成の一例を示す概念図である。
【００１０】
コミュニケーションシステム１０は、図１に示すように、ＳＴＢ１、リモコン２、スマホ３、ＴＶ４、サーバ５及びネットワーク６等を備えている。
【００１１】
ＳＴＢ１は、通信及び種々の入出力機能を有する電子機器である。ＳＴＢ１という名称はセットトップボックス（Set Top Box）の略称であり、ＳＴＢ１はサーバ５を介してスマホ３と通信を行い、ＳＴＢ１ユーザとスマホ３ユーザとの間の文字（character／letter／text等）によるユーザ同士のコミュニケーションを実現する。ＳＴＢ１の詳細な構成については図３等を用いて後述にて説明を行う。
【００１２】
リモコン２は、ＳＴＢ１のリモートコントローラであり、入力装置として複数のキーを備えている。これらのキーには数字とＳＴＢ１における基本的な機能が割り当てられおり、数字以外の文字はキーに割り当てられていない。つまり、リモコン２を用いてのＳＴＢ１への数字以外の文字の入力は、困難である。
【００１３】
スマホ３は、一般的にスマートフォン（Smart Phone）と呼ばれる通話機能及びその他所定の機能を有する電子機器である。スマホ３はサーバ５を介してのＳＴＢ１との通信機能を有している。また、スマホ３は一般的なスマートフォン同様にＳＷ（ソフトウェア/Software）キーボード等による文字入力機能を有している。つまり、スマホ３は、ＳＴＢ１及びリモコン２と比較して、高機能な（高度な／入力容易な）文字入力機能を有している。スマホ３の詳細な構成については図４等を用いて後述にて説明を行う。
【００１４】
ＴＶ４は、ユーザへの映像表示機能を有するテレビジョン（Television）受像機であり、放送波の受信、表示機能を有している。また、ＳＴＢ１とＨＤＭＩ（High-Definition Multimedia Interface) （登録商標）ケーブルによって接続されており、表示部にＳＴＢ１が出力する映像を表示することもできる。
【００１５】
サーバ５は、ネットワーク６を介して、ＳＴＢ１またはスマホ３と通信する機能を有している。ＳＴＢ１から受信したデータをスマホ３へ、スマホ３から受信したデータをＳＴＢ１に転送することができる。
【００１６】
図２は、本実施形態におけるリモコンの外観の一例を示す図である。
【００１７】
リモコン２は、入力部２１及びマイク２２を有している。
【００１８】
入力部２１は、数字及びＳＴＢ１の所定機能を果たすために必要な機能が割り当てられた複数のキー（ボタン）群である。本実施形態ではこれらのキーには数字以外の文字は割り当てられておらず、リモコン２を用いて、ユーザはＳＴＢ１に対して基本的に数字の入力または所定機能の動作指示しかすることができない。つまり、リモコン２を用いて文章を作成するということはユーザにとって容易ではない。
【００１９】
マイク２２は、音声の入力を受け付ける機能を有している。ユーザはマイク２２に向かって話かけることでＳＴＢ１の所定の機能を動作させることができる。
【００２０】
図３は、本実施形態におけるＳＴＢのシステム構成の一例を示すブロック図である。
【００２１】
ＳＴＢ１は、図３に示すように、プロセッサ１０１、記憶デバイス１１１、無線通信部１１２、電源管理ＩＣ１１３、ＨＤＭＩインタフェース部１１４などを備えている。
【００２２】
記憶デバイス１１１は、不揮発性メモリ、フラッシュメモリ、磁気抵抗メモリ、ハードディスクドライブ等を有する記憶装置である。
【００２３】
無線通信部１１２は、ネットワーク６に接続されたサーバ５と通信を行う機能を有している。
【００２４】
電源管理ＩＣ１１３は、電源管理のためのワンチップマイクロコンピュータである。また、電源管理ＩＣ１１３は、ＡＣアダプタ１２０から供給される電力を用いて、各コンポーネントに供給すべき動作電力を生成する。
【００２５】
ＨＤＭＩインタフェース部１１４は、後述するＬＶＤＳに対応する信号をＨＤＭＩに対応する信号に変換し、接続されたＴＶ４にこの信号を送信する機能を有している。
【００２６】
プロセッサ１０１は、ＳＴＢ１内の各種モジュールの動作を制御する電子回路である。このプロセッサ１０１は１つの電子回路であってもよいし、複数の電子回路の組み合わせで構成されているとしてもよい。プロセッサ１０１は、記憶デバイス１１１からメインメモリ１０２にロードされる各種プログラムを実行する。プロセッサ１０１により実行されるプログラムには、オペレーティングシステム（ＯＳ）１２２や、コミュニケーションアプリケーション１２１等の各種アプリケーションプログラムが含まれている。
【００２７】
オペレーティングシステム（ＯＳ）１２２はＳＴＢ１全体を制御するためのソフトウェアである。
【００２８】
コミュニケーションアプリケーション１２１は、他の電子機器（例えばスマホ３）と文字によるやり取り（対話／コミュニケーション）を行うためのプログラムである。このコミュニケーションアプリケーション１２１等について図５等を用いて後述にて詳細に説明する。
【００２９】
グラフィクスプロセッサ１０３は、ディスプレイモニタとして使用されるＴＶ４を制御する表示コントローラである。グラフィクスプロセッサ１０３は、ＴＶ４に映像を表示するための映像データを生成する。ＬＶＤＳインタフェース部１０４は、映像データをＬＶＤＳ（Low voltage differential signaling）に対応する信号に変換する。
【００３０】
受信部１０５は、リモコン２のマイク２２によって入力された音声データを受信し、これをプロセッサ１０１に出力する機能を有している。また、受信部１０５は、リモコン２に設けられた入力部２１により入力された所定のキーに対応する入力信号を受信し、これをプロセッサ１０１に出力する機能を有している。
【００３１】
次に、スマホ３について説明する。
【００３２】
図４は、本実施形態におけるスマホのシステム構成の一例を示すブロック図である。
【００３３】
スマホ３は、図４に示すように、プロセッサ３０１、記憶デバイス３１１、無線通信部３１２、バッテリ３１３、カメラ３１４、マイク３１５、スピーカ３１６及びタッチスクリーンディスプレイ３０４等を備えている。
【００３４】
記憶デバイス３１１は、不揮発性メモリ、フラッシュメモリ等を有する記憶装置である。
【００３５】
無線通信部３１２は、ネットワーク６に接続されたサーバ５と通信を行う。
【００３６】
バッテリ３１３は、図示しない外部電源接続部を介して外部から供給された電力を充電し、スマホ３の動作電力として各コンポーネントに充電された電力を供給する機能を有している。
【００３７】
カメラ３１４は、画像を撮像する機能を有する撮像部であり、スマホ３はカメラ３１４で撮像された画像を記憶デバイス３１１に記憶しておくことができる。
【００３８】
マイク３１５は、ユーザの発話した音声等を集音する集音部である。ユーザはマイク３１５に対して発話することで、電話機能等の利用時には、他機器のユーザと会話することができる。
【００３９】
スピーカ３１６は、音声を出力する音声出力部であり、ユーザはスピーカ３１６から通話相手の声を聴くことができる。
【００４０】
プロセッサ３０１は、スマホ３内の各種モジュールの動作を制御する電子回路である。このプロセッサ３０１は１つの電子回路であってもよいし、複数の電子回路の組み合わせで構成されているとしてもよい。プロセッサ３０１は、記憶デバイス３１１からメインメモリ３０２にロードされる各種プログラムを実行する。プロセッサ３０１により実行されるプログラムには、オペレーティングシステム（ＯＳ）３２２や、コミュニケーションアプリケーション３２１等の各種アプリケーションプログラムが含まれている。
【００４１】
オペレーティングシステム（ＯＳ）３２２はスマホ３全体を制御するためのソフトウェアである。
【００４２】
コミュニケーションアプリケーション３２１は、他の電子機器と文字によるやり取りを行うためのプログラムである。このコミュニケーションアプリケーション３２１等について図５等を用いて後述にて詳細に説明する。
【００４３】
グラフィクスプロセッサ３０３は、表示部３０５を制御する表示コントローラである。グラフィクスプロセッサ１０３は、表示部３０５に映像を表示するための映像信号を生成する。
【００４４】
タッチスクリーンディスプレイ３０４は、表示部３０５と入力部３０６とを有している。
【００４５】
表示部３０５は映像を表示するためのディスプレイであり、グラフィクスプロセッサ３０３から入力される映像を表示することができる。
【００４６】
入力部３０６はタッチパネルであり、指等によるユーザの接触箇所の座標情報をプロセッサ３０１に出力することができる。また、入力部３０６は透明であり、表示部３０５に重複して設けられている。
【００４７】
次にコミュニケーションアプリケーションについて詳細に説明する。
【００４８】
前述のとおり、スマホ３はＳＷキーボードというリッチな文字入力機能を有しているが、ＳＴＢ１及びリモコン２では基本的には数字以外の文字を入力することができない。そのため、文字によるやり取り（対話／コミュニケーション）を行う場合、一般的な構成では、スマホ３側のユーザはＳＷキーボードを用いて文字を入力することで十分に意図を伝えることができるが、ＳＴＢ１側のユーザは文字の入力による意図伝達は困難となる。そこで、本実施形態におけるＳＴＢ１及びスマホ３のコミュニケーションアプリケーション１２１、３２１では以下にて説明する構成を持ち、動作することによって文字によるユーザ同士のやり取りを可能としている。
【００４９】
まずは、ＳＴＢ１及びスマホ３の機能構成について説明する。
【００５０】
図５はスマホ及びＳＴＢのコミュニケーションアプリケーションに関連する機能構成の一例を示すブロック図である。
【００５１】
スマホ３のコミュニケーションアプリケーション３２１は、画像とメッセージ及びコメントを関連付けて、サーバ５を介してＳＴＢ１コミュニケーションアプリケーション１２１に送信する機能を有している。ここでのメッセージとは１つまたは複数の画像と関連付けられており、スマホ３のユーザからＳＴＢ１のユーザに向けた文字情報である。また、コメントとは１つまたは複数の画像と関連付けられており、ＳＴＢ１のユーザからスマホ３のユーザに向けての文字情報である。ＳＴＢ１ではリッチな文字入力手段を持たないため、スマホ３のユーザが、予めＳＴＢ１のユーザがスマホ３のユーザに向けて伝えたいであろうと考える文字群（コメント）の候補（例えば「見たよ」「いいね」等）を作成／ＳＴＢ１に送信し、ＳＴＢ１のユーザに簡易な入力手段によって選択させる。これにより、ＳＴＢ１のユーザは画像を見た際に伝えたい情報／感想（コメント）をスマホ３のユーザに伝えることができる。
【００５２】
コミュニケーションアプリケーション３２１は、画像選択部３２２及び文字受付部３２３を有している。
【００５３】
画像選択部３２２は、ＳＴＢ１に送信する画像を選択する機能を有している。画像選択部３２２は表示部３０５に所定のＵＩ（User Interface）を表示してユーザに送信対象の画像を選択させる。画像はカメラ３１４で撮像されたものでもよいし、記憶デバイス３１１に保存されていたものでもよい。
【００５４】
文字受付部３２３は、ＳＷキーボード（入力部３０６）を用いたユーザから入力されたメッセージ及びコメント（文字群）を受け付ける機能を有している。
【００５５】
コミュニケーションアプリケーション３２１は、ユーザに選択された画像、及び入力されたメッセージ／コメントを無線通信部３１２によって外部の機器に送信する機能を有している。画像、メッセージ／コメントはサーバ５を介して、ＳＴＢ１に送信される。
【００５６】
ＳＴＢ１の無線通信部１１２はこれらの画像、メッセージ／コメントをサーバ５より受信する。
【００５７】
ＳＴＢ１のコミュニケーションアプリケーション１２１は提示部１２３及び選択受付部１２４を有している。
【００５８】
ＳＴＢ１のコミュニケーションアプリケーション１２１は無線通信部１１２を介して画像、メッセージ／コメントを受け取ると、提示部１２３がＨＤＭＩインターフェース部１１４を介してＴＶ４の表示部にこれらを表示させる（ユーザに提示する）。
【００５９】
ＴＶ４の表示部に画像、メッセージ／コメントが表示されているとき、ユーザがリモコン２を用いて、コメントの一つを選択すると、選択受付部１２４がこれを受け付け、コミュニケーションアプリケーション１２１は無線通信部１１２を介して、画像の識別情報（ＩＤ：Identification）及びこの画像に対して選択されたコメントを送信する。このとき、コメントは文字情報そのものを送信してもよいし、コメントに対応する識別情報のみを送信するとしてもよい。
【００６０】
スマホ３は、ＳＴＢ１で送信された画像情報及びコメント情報を受信し、ユーザに対して表示する。これにより、スマホ３及びＳＴＢ１のユーザ同士は文字によるやり取りを行うことができる。
【００６１】
尚、スマホ３のコミュニケーションアプリケーション３２１及びＳＴＢ１のコミュニケーションアプリケーション１２１は、初期出荷時にそれぞれの機器にインストールされているとしてもよいし、例えば出荷後にサーバ５からダウンロードしてインストールするという提供形態で提供されてもよい。
【００６２】
次に、本実施形態における各種処理を表示画面の例を参照しながら説明する。
【００６３】
図６は、本実施形態におけるスマホでの画像選択画面の一例を示す概念図である。
【００６４】
スマホ３のコミュニケーションアプリケーション３２１の画像選択部３２２がユーザに画像を選択させるとき、表示部３０５には図６のような画像選択画面６１０を表示する。
【００６５】
画像選択画面６１０には、送信候補の画像６０１、各画像におけるメッセージ６０２、「写真の選択」ボタン６０３、「メッセージの編集」ボタン６０４、及び「コメントの編集」ボタン６０５が表示されている。
【００６６】
画像６０１は、ＳＴＢ１への送信候補の画像であり、この画像６０１のそれぞれには、スマホ３ユーザからＳＴＢ１ユーザに向けた文字情報であるメッセージ６０２が近傍に表示されている。
【００６７】
画像選択画面６１０にて、画像は単数または複数を同時に選択できる。画像６０１を直接ユーザがタップ（指で接触）するとタップされた画像一枚が選択され、「写真の選択」ボタン６０３にユーザがタップした後に複数の画像６０１をユーザがタップすると複数の画像６０１が同時に選択される。
【００６８】
単数／複数の画像６０１が選択された状態で、「メッセージの編集」ボタン６０４をユーザがタップすると、選択された画像についてメッセージ６０２の編集を行うことができる。図示しないが、メッセージ６０２の入力画面では表示部３０５にＳＷキーボードが表示され、ユーザはこのＳＷキーボードを用いて簡易に文字を入力することができる。
【００６９】
また、単数／複数の画像６０１が選択された状態で、「コメントの編集」ボタン６０５をユーザがタップすると、選択された画像についてコメントの編集を行うことができる。コメントの編集画面について図７及び図８を用いて説明を行う。
【００７０】
上述で複数の画像６０１が選択された状態でメッセージの編集またはコメントの編集を行うと、選択された画像６０１に一括して同じメッセージやコメントが対応付けられる。
【００７１】
図７及び図８は、本実施形態におけるスマホでのコメント編集画面の一例を示す概念図である。
【００７２】
図６における「コメントの編集」ボタン６０５をユーザがタップすると、画面が図７のコメント編集画面７１０に切り替わる。
【００７３】
コメント編集画面７１０には複数（本実施形態では４つ）のコメント入力欄７０１が表示されている。ユーザはコメント１〜コメント４それぞれのコメント入力欄７０１中の文字を編集することができる。例えば、「タップしてコメントを編集」と記載されたコメント３のコメント編集欄７０１をユーザがタップすると、図８のようにＳＷキーボード８０１が表示部３０５に表示され、ユーザはリッチな文字入力手段によってコメント編集欄７０１にコメント（文字情報）を入力することができる。
【００７４】
尚、デフォルトでユーザの入力前に「見たよ」「いいね」等の文字が、一部／すべてのコメント編集欄７０１に表示されており、ユーザはこれを変更可能とする、としてもよいし、すべてのコメント編集欄７０１にデフォルトでは文字情報が入力されていない状態で実装してもよい。
【００７５】
図６、図７及び図８等の画面にて、スマホ３で画像とメッセージ及びコメントが選択／入力されると、スマホ３はこの情報をサーバ５経由でＳＴＢ１に送る。次にこれらの情報を受信したＳＴＢ１がユーザにコメントを選択させるためにＴＶ４に表示させる画面の表示例について説明する。
【００７６】
図９は、本実施形態におけるＳＴＢが表示させるＴＶの表示部上でのコメント選択画面の一例を示す概念図である。
【００７７】
ＳＴＢ１は、画像とメッセージ及びコメントを受信し、ＨＤＭＩケーブルを介してＴＶ４の表示部４０１にコメント選択画面９１０を表示することができる。
【００７８】
コメント選択画面９１０には、リモコン表示部９０１、画像９０２、メッセージ９０３及びコメント９０４等が表示されている。
【００７９】
リモコン表示部９０１には、リモコン２と同様のキー配置の画像が表示されており、例えば配色、色の濃淡または影等によって現在選択可能な項目をユーザに提示することができる。
【００８０】
画像９０２にはＳＴＢ１が受信した画像が表示されており、画像９０２の近傍には受信したメッセージであるメッセージ９０３が表示されている。
【００８１】
コメント９０４では、受信したコメントそれぞれに番号が割り当てられて表示されている。ＳＴＢ１のユーザはスマホ３のユーザに伝えたい言葉（文字）をこれらのコメントから選択でき、選択されたコメントはスマホ３に送信される。コメント９０４には数字が割り当てられており、ＳＴＢ１のユーザはリモコンで対応する数字を押下することにより、返信用のコメントを選択することができる。このようにＳＴＢ１ユーザは、リモコン２のようなシンプルな（文字入力が高機能でない）入力手段で手間をかけることなく、コメントを選択することができる。コメント選択画面９１０で選択された画面はサーバ経由でスマホ３に対して送信される。
【００８２】
最後に機器間での処理の流れを説明する。
【００８３】
図１０は、本実施形態におけるスマホ、サーバ及びＳＴＢでの処理の流れの一例を示すシーケンス図である。
【００８４】
まず、スマホ３のユーザが、コミュニケーションアプリケーション３２１でＳＴＢ１のユーザとコミュニケーションをとる場合、まずスマホ３のコミュニケーションアプリケーション３２１では画像選択部３２２で画像を選択し、文字受付部３２３によってＳＷキーボードを用いた文字群（メッセージ及びコメント）の入力を受け付ける（Ｓ１０１）。
【００８５】
次に、コミュニケーションアプリケーション３２１は、サーバ５に対して画像、メッセージ及びコメントを送信する（Ｓ１０２）。
【００８６】
サーバ５は受信した画像、メッセージお及びコメントを対象のＳＴＢ１に対して転送する（Ｓ１０３）。
【００８７】
サーバ５から画像、メッセージお及びコメントを受信すると、ＳＴＢ１の提示部１２３はコメント選択画面９１０によって、ユーザに対して画像、メッセージお及びコメントを表示（提示）する（Ｓ１０４）。
【００８８】
次に、ＳＴＢ１の選択受付部１２４はユーザからのコメントの選択を受け付ける（Ｓ１０５）。本実施形態では選択されるコメントは１つであると例示するが、これに限定されず、例えば複数のコメントを選択できるとしてもよい。
【００８９】
ユーザからコメントの選択を受け付けるとＳＴＢ１のコミュニケーションアプリケーション１２１は、画像のＩＤ及び選択されたコメントをサーバ５に送信する（Ｓ１０６）。本実施形態では画像のＩＤ及びコメントを送信するとしたが、これに限定されず、例えば画像自体とコメントに振られたＩＤとを送信するとしてもよいし、また別の組み合わせでもよい。
【００９０】
サーバ５は受信した画像のＩＤ及びコメントを対象のスマホ３に対して転送する（Ｓ１０７）。
【００９１】
最後に、スマホ３は受信した画像のＩＤ及びコメントをユーザに対して表示する（Ｓ１０８）。
【００９２】
以上の処理のように、文字入力を容易に行える入力手段を有するスマホ３のような機器が返信候補のコメントを作成して送信することで、ＳＴＢ１のように入力手段がシンプルであり文字の入力に向いていない機器とでも、容易にユーザ同士の文字によるやり取り（対話／コミュニケーション）が可能となる。
【００９３】
換言すれば、文字を入力しやすい機器が、相対的に文字を入力しづらい機器に対して、返信候補のコメントを作成して送信することで、より簡便に文字によるやり取りを実行することができる。
【００９４】
上記では、本発明の実施形態を説明したが、これは例として提示したでものあり、発明の範囲を限定することは意図していない。これらの実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
１…ＳＴＢ、２…リモコン、３…スマホ、４…ＴＶ、５…サーバ、６…ネットワーク、１０…コミュニケーションシステム、６１０…画像選択画面、７１０…コメント編集画面、９１０…コメント選択画面。
【図１】
2016167165.tif 000003
【図２】
2016167165.tif 000004
【図３】
2016167165.tif 000005
【図４】
2016167165.tif 000006
【図５】
2016167165.tif 000007
【図６】
2016167165.tif 000008
【図７】
2016167165.tif 000009
【図８】
2016167165.tif 000010
【図９】
2016167165.tif 000011
【図１０】
2016167165.tif 000012